(57)【要約】【課題】内燃機関の排気浄化装置において、ＮＯx触媒への燃料供給時に該ＮＯx触媒へ流入する排気の空燃比の正確な値を得ることにより、該ＮＯx触媒の劣化判定の精度を向上させることができる技術を提供する。【解決手段】燃料添加時におけるＮＯx吸蔵触媒よりも下流で検出される排気の空燃比がリッチ空燃比であって所定の変化幅内で安定しているときの空燃比から該ＮＯx吸蔵触媒に流入する排気の空燃比を推定し、この推定値に基づいて該ＮＯx吸蔵触媒の劣化判定を行う。【選択図】図３
2005226490.tif 000002
【特許請求の範囲】
【請求項１】
内燃機関の排気通路に設けられた第１ＮＯx吸蔵触媒と、
前記第１ＮＯx吸蔵触媒よりも下流の排気の空燃比を検出する第１空燃比検出手段と、
前記第１ＮＯx吸蔵触媒よりも上流から該第１ＮＯx吸蔵触媒へ燃料を添加する燃料添加手段と、
前記燃料添加手段により燃料を添加して前記第１ＮＯx吸蔵触媒に吸蔵されたＮＯxを還元するＮＯx還元手段と、
前記燃料添加手段により燃料が添加されているときの前記第１空燃比検出手段の検出値がストイキよりリッチ空燃比であって所定の変化幅内で安定しているか否か判定する出力安定判定手段と、
前記出力安定判定手段により前記第１空燃比検出手段の検出値がストイキよりリッチな空燃比で安定していると判定されたときの前記第１空燃比検出手段により検出される空燃比に基づいて、前記燃料添加手段により燃料が添加されていた期間中の前記第１ＮＯx吸蔵触媒に流入する排気の空燃比を推定する流入排気空燃比推定手段と、
前記出力安定判定手段により前記第１空燃比検出手段の検出値がストイキよりリッチな空燃比で安定していると判定されたときの前記第１空燃比検出手段により得られる排気の空燃比および前記流入排気空燃比推定手段により推定される空燃比に基づいて前記第１ＮＯx吸蔵触媒の劣化を判定する劣化判定手段と、
を具備することを特徴とする内燃機関の排気浄化装置。
【請求項２】
前記第１空燃比検出手段よりも下流の排気通路に設けられ、酸化能力を有する第２触媒と、
前記第２触媒よりも下流の排気の空燃比を検出する第２空燃比検出手段と、
をさらに備え、
前記出力安定手段は、前記燃料添加手段により燃料が添加されているときに前記第２空燃比検出手段により検出される空燃比がストイキよりリッチに変化したときに前記第１空燃比検出手段により検出された排気の空燃比がストイキよりリッチな空燃比で安定していると判定することを特徴とする請求項１に記載の内燃機関の排気浄化装置。
【請求項３】
前記第１ＮＯx吸蔵触媒よりも上流の排気の空燃比を検出する第３空燃比検出手段をさらに備え、前記流入排気空燃比推定手段は前記第３空燃比検出手段により検出された空燃比と前記第１空燃比検出手段により検出された空燃比とから前記第１ＮＯx吸蔵触媒に流入する排気の空燃比を推定することを特徴とする請求項１または２に記載の内燃機関の排気浄化装置。
【請求項４】
前記流入排気空燃比推定手段は、前記出力安定判定手段により前記第１空燃比検出手段により検出された空燃比がストイキよりリッチな空燃比で安定していると判定されたときの該第１空燃比検出手段により得られる排気の空燃比と、このときの前記第３空燃比検出手段により検出された空燃比と、が等しくなるように、前記燃料添加手段による燃料添加中の前記第３空燃比検出手段により検出された空燃比を補正することにより、前記第１ＮＯx吸蔵触媒に流入する排気の空燃比を推定することを特徴とする請求項３に記載の内燃機関の排気浄化装置。
【請求項５】
前記第２空燃比検出手段により検出される排気の空燃比が所定空燃比よりもリッチとなったときに前記燃料添加手段による燃料の添加を終了させる燃料添加終了手段をさらに備えることを特徴とする請求項２から４の何れかに記載の内燃機関の排気浄化装置。
【発明の詳細な説明】
【技術分野】
【０００１】
本発明は、内燃機関の排気浄化装置に関する。
【背景技術】
【０００２】
吸蔵還元型ＮＯx触媒（以下、ＮＯx触媒とする。）を内燃機関の排気通路に配置し、酸化雰囲気のときに排気中の窒素酸化物（ＮＯx）を該ＮＯx触媒に吸蔵し、還元雰囲気となったときは該ＮＯx触媒に吸蔵されていたＮＯxを還元して排気中のＮＯxを浄化する技術が知られている。
【０００３】
このＮＯx触媒は、熱劣化や経年変化による劣化とともにＮＯxの吸蔵能力が低下することが知られており、この劣化の検出を該ＮＯx触媒前後に取り付けた酸素センサの出力に基づいて行う技術が知られている（例えば、特許文献１参照。）。
【特許文献１】特開平１１−９３７４２号公報
【特許文献２】特許第２６９２３８０号公報
【特許文献３】特開２００２−３０９９２８号公報
【発明の開示】
【発明が解決しようとする課題】
【０００４】
ところで、ＮＯx触媒へ燃料を供給してＮＯxの還元を行うときには、排気中の空燃比を空燃比センサにより正確に検出することが求められる。しかし、排気中に含まれる燃料のクラッキングが十分でないと、一部の燃料が空燃比センサの拡散抵抗層を通過できなくなってしまう。そのため、燃料が実際よりも少なく測定され、空燃比センサにより検出される空燃比は、実際よりもリーン側へずれることになる。なお、このような空燃比のずれを以下、「リーンずれ」という。そして、このリーンずれのため、フィードバック制御による燃料添加量の補正が困難となる。
【０００５】
また、前記従来技術によりＮＯx触媒の劣化判定を行うときには、排気中の酸素濃度や空燃比を酸素センサや空燃比センサにより正確に検出することが求められる。しかし、上記理由によりＮＯx触媒の劣化判定を正確に行うことが困難な場合がある。
【０００６】
本発明は、上記したような問題点に鑑みてなされたものであり、内燃機関の排気浄化装置において、ＮＯx触媒への燃料供給時に該ＮＯx触媒へ流入する排気の空燃比の正確な値を得ることにより、該ＮＯx触媒の劣化判定の精度を向上させることができる技術を提供することを目的とする。
【課題を解決するための手段】
【０００７】
上記課題を達成するために本発明による内燃機関の排気浄化装置は、以下の手段を採用した。すなわち、
内燃機関の排気通路に設けられた第１ＮＯx吸蔵触媒と、
前記第１ＮＯx吸蔵触媒よりも下流の排気の空燃比を検出する第１空燃比検出手段と、
前記第１ＮＯx吸蔵触媒よりも上流から該第１ＮＯx吸蔵触媒へ燃料を添加する燃料添加手段と、
前記燃料添加手段により燃料を添加して前記第１ＮＯx吸蔵触媒に吸蔵されたＮＯxを還元するＮＯx還元手段と、
前記燃料添加手段により燃料が添加されているときの前記第１空燃比検出手段の検出値がストイキよりリッチ空燃比であって所定の変化幅内で安定しているか否か判定する出力安定判定手段と、
前記出力安定判定手段により前記第１空燃比検出手段の検出値がストイキよりリッチな空燃比で安定していると判定されたときの前記第１空燃比検出手段により検出される空燃比に基づいて、前記燃料添加手段により燃料が添加されていた期間中の前記第１ＮＯx吸蔵触媒に流入する排気の空燃比を推定する流入排気空燃比推定手段と、
前記出力安定判定手段により前記第１空燃比検出手段の検出値がストイキよりリッチな空燃比で安定していると判定されたときの前記第１空燃比検出手段により得られる排気の空燃比および前記流入排気空燃比推定手段により推定される空燃比に基づいて前記第１ＮＯx吸蔵触媒の劣化を判定する劣化判定手段と、
を具備することを特徴とする。
【０００８】
本発明の最大の特徴は、第１ＮＯx吸蔵触媒よりも下流で検出される排気の空燃比がリッチ空燃比であって所定の変化幅内で安定しているときの空燃比から該第１ＮＯx吸蔵触媒に流入する排気の空燃比を推定し、この推定値に基づいて該第１ＮＯx吸蔵触媒の劣化判定を行うことにある。
【０００９】
ここで、燃料添加手段により燃料の添加が行われているときに、第１空燃比検出手段により検出される空燃比がリッチ側に移行した場合には、第１ＮＯx吸蔵触媒に吸蔵されているＮＯxおよび酸素の放出が完了している。そして、このときに第１空燃比検出手段により検出される空燃比は、第１ＮＯx吸蔵触媒に吸蔵されていた酸素やＮＯxの影響を受けない。さらに、第１ＮＯx吸蔵触媒により燃料が十分にクラッキングされるため、第１空燃比検出手段の検出値のリーンずれが生じるのを抑制できる。
【００１０】
従って、出力安定判定手段により第１空燃比検出手段の検出値が安定していると判定された場合には、該第１空燃比検出手段により検出される空燃比は実際に第１ＮＯx吸蔵触媒に流入する排気の空燃比とほぼ等しい値を示していることになる。すなわち、出力安定判定手段により第１空燃比検出手段の検出値が安定していると判定された場合には、第１空燃比検出手段から得られる排気の空燃比は、第１ＮＯx吸蔵触媒に流入している排気の空燃比とすることができる。
【００１１】
そして、流入排気空燃比推定手段は、出力安定判定手段により第１空燃比検出手段の検出値が安定していると判定されたときの排気の空燃比に基づいて、第１空燃比検出手段の検出値が安定する前であって燃料添加手段により燃料の添加が行われているときに第１ＮＯx吸蔵触媒に流入する排気の空燃比を推定する。この推定は、例えば、燃料添加手段から燃料が添加されている間に第１ＮＯx吸蔵触媒に流入する排気の空燃比の変化を実験的に求めておくことにより可能となる。すなわち、出力安定判定手段により第１空燃比検出手段の検出値が安定していると判定されたときの該第１空燃比検出手段により得られる空燃比と、実験的に求めた排気の空燃比が最終的に到達する空燃比と、が等しくなるように、実験的に求めた排気の空燃比を補正することにより、燃料添加中であって第１空燃比検出手段の検出値が安定する前の期間における第１ＮＯx吸蔵触媒に流入する排気の空燃比を得ることができる。
【００１２】
このようにして得られた第１ＮＯx吸蔵触媒に流入する排気の空燃比を用いて該第１ＮＯx吸蔵触媒の劣化判定を行うことにより、劣化判定の精度を向上させることができる。
なお、「所定の変化幅内で安定している」とは、空燃比の変化幅が所定値よりも小さくなったことを例示することができる。
【００１３】
本発明においては、前記第１空燃比検出手段よりも下流の排気通路に設けられ、酸化能
力を有する第２触媒と、
前記第２触媒よりも下流の排気の空燃比を検出する第２空燃比検出手段と、
をさらに備え、
前記出力安定手段は、前記燃料添加手段により燃料が添加されているときに前記第２空燃比検出手段により検出される空燃比がストイキよりリッチに変化したときに前記第１空燃比検出手段により検出された排気の空燃比がストイキよりリッチな空燃比で安定していると判定することができる。
【００１４】
ここで、第２触媒がＮＯx吸蔵能力を有するようにしてもよい。そして、第２空燃比検出手段により検出された空燃比がリッチ空燃比となった場合には、第２触媒にはリッチ空燃比の排気が流入したことを示している。この場合、第１ＮＯx吸蔵触媒から流出する排気の空燃比はリッチ空燃比となっている。このことは、第１ＮＯx吸蔵触媒に吸蔵されていたＮＯxの還元が完了していることを示しており、第１空燃比検出手段に検出される排気の空燃比が一定のリッチ空燃比で安定していることをも示している。これにより、出力安定手段は前記第１空燃比検出手段により検出された排気の空燃比が安定していると判定することができる。
【００１５】
本発明においては、前記第１ＮＯx吸蔵触媒よりも上流の排気の空燃比を検出する第３空燃比検出手段をさらに備え、前記流入排気空燃比推定手段は前記第３空燃比検出手段により検出された空燃比と前記第１空燃比検出手段により検出された空燃比とから前記第１ＮＯx吸蔵触媒に流入する排気の空燃比を推定することができる。
【００１６】
第３空燃比検出手段は、第１ＮＯx吸蔵触媒よりも上流に設けられているため、燃料のクラッキングが十分になされていない状態の排気の空燃比を検出することとなるが、該第１ＮＯx吸蔵触媒に吸蔵されたＮＯxおよび酸素の放出による影響は受けない。
【００１７】
そのため、第３空燃比検出手段により得られた空燃比のみでは、第１吸蔵ＮＯx触媒に流入する排気の空燃比を正確に得ることは困難であるが、空燃比の変化を検出することはできる。また、第１空燃比検出手段により検出される空燃比に基づいて第３空燃比検出手段により得られる排気の空燃比を補正することにより第１ＮＯx吸蔵触媒に流入する排気の空燃比をより正確に得ることができる。そのため、第１ＮＯx吸蔵触媒の劣化判定をより正確に行うことが可能となる。
【００１８】
本発明においては、前記流入排気空燃比推定手段は、前記出力安定判定手段により前記第１空燃比検出手段により検出された空燃比がストイキよりリッチな空燃比で安定していると判定されたときの該第１空燃比検出手段により得られる排気の空燃比と、このときの前記第３空燃比検出手段により検出された空燃比と、が等しくなるように、前記燃料添加手段による燃料添加中の前記第３空燃比検出手段により検出された空燃比を補正することにより、前記第１ＮＯx吸蔵触媒に流入する排気の空燃比を推定することができる。
【００１９】
前記したように、出力安定判定手段により第１空燃比検出手段の検出値が安定していると判定された場合には、第１ＮＯx吸蔵触媒に吸蔵されていたＮＯxおよび酸素の放出が完了し、第１空燃比検出手段により検出される空燃比と、第１ＮＯx吸蔵触媒に流入する排気の空燃比と、はほぼ等しい値となる。そこで、第１空燃比検出手段の検出値が安定しているときの第３空燃比検出手段の検出値が第１空燃比検出手段の検出値と等しくなるように、第３空燃比検出手段の検出値を補正する。そして、このときに第３空燃比検出手段の補正を行うための係数を得る。この係数を燃料添加時の第３空燃比検出手段の検出値全てに適用することにより、第１空燃比検出手段の検出値が安定する前の第３空燃比検出手段の検出値を補正することが可能となる。すなわち、第３空燃比検出手段の検出値を記憶させておき、この記憶値を補正することにより、燃料添加時に第１ＮＯx吸蔵触媒に流入し
ていた排気の空燃比を得ることが可能となる。
【００２０】
本発明においては、前記第２空燃比検出手段により検出される排気の空燃比が所定空燃比よりもリッチとなったときに前記燃料添加手段による燃料の添加を終了させる燃料添加終了手段をさらに備えることができる。
【００２１】
ここで、第２空燃比検出手段の検出値がリッチ空燃比となった場合には、第１ＮＯx吸蔵触媒に吸蔵されていたＮＯxの放出が完了している。そして、このときには、流入排気空燃比推定手段による第１ＮＯx吸蔵触媒に流入する排気の空燃比の推定も完了している。そのため、燃料添加を終了させても第１ＮＯx吸蔵触媒の劣化判定を行うことができる。また、このような終了時期とすることにより、過剰な燃料が第１および第２触媒を通過して、下流へと流出することを抑制することができる。
【発明の効果】
【００２２】
本発明に係る内燃機関の排気浄化装置では、ＮＯx触媒への燃料供給時に該ＮＯx触媒へ流入する排気の空燃比の正確な値を得ることにより、該ＮＯx触媒の劣化判定の精度を向上させることができる。
【発明を実施するための最良の形態】
【００２３】
以下、本発明に係る内燃機関の排気浄化装置の具体的な実施態様について図面に基づいて説明する。
【実施例１】
【００２４】
図１は、本実施例に係る内燃機関の排気浄化装置を適用する内燃機関１とその排気系の概略構成を示す図である。
図１に示す内燃機関１は、水冷式の４サイクル・ディーゼルエンジンである。
【００２５】
内燃機関１には、燃焼室へ通じる排気通路２が接続されている。この排気通路２は、下流にて大気へと通じている。
前記排気通路２の途中には、内燃機関１側から順に酸化触媒３、第１ＮＯx触媒４及び第２ＮＯx触媒５が備えられている。
【００２６】
第１ＮＯx触媒４及び第２ＮＯx触媒５は、流入する排気の酸素濃度が高いときは排気中のＮＯxを吸蔵し、流入する排気の酸素濃度が低下し且つ還元剤が存在するときは吸蔵していたＮＯxを還元する機能を有する吸蔵還元型ＮＯx触媒である。なお、第１ＮＯx触媒４および／または、パティキュレートフィルタに吸蔵還元型ＮＯx触媒を担持させたものであってもよい。また、第１ＮＯx触媒の劣化判定のみを行う場合には、第２ＮＯx触媒５は単なる酸化能力を有する触媒であってもよい。さらに、酸化触媒３は、酸化能力を有する触媒であれば三元触媒、ＮＯx触媒等の他の種類の触媒であってもよい。
【００２７】
また、酸化触媒３よりも下流で且つ第１ＮＯx触媒４よりも上流の排気通路２には、該排気通路２を流通する排気の空燃比を検出する第３空燃比センサ６が取り付けられている。また、第１ＮＯx触媒４よりも下流で且つ第２ＮＯx触媒５よりも上流の排気通路２には、該排気通路２を流通する排気の空燃比を検出する第１空燃比センサ７が取り付けられている。さらに、第２ＮＯx触媒５よりも下流の排気通路２には、該排気通路２を流通する排気の空燃比を検出する第２空燃比センサ８が取り付けられている。
【００２８】
ところで、内燃機関１が希薄燃焼運転されている場合は、第１ＮＯx触媒４及び第２ＮＯx触媒５のＮＯx吸蔵能力が飽和する前に第１ＮＯx触媒４及び第２ＮＯx触媒５に吸蔵されたＮＯxを還元させる必要がある。
【００２９】
そこで、本実施例では、酸化触媒３より上流の排気通路２を流通する排気中に還元剤たる燃料（軽油）を添加する燃料添加弁９を備えている。ここで、燃料添加弁９は、後述するＥＣＵ１０からの信号により開弁して燃料を噴射する。燃料添加弁９から排気通路２内へ噴射された燃料は、排気通路２の上流から流れてきた排気の空燃比をリッチにすると共に、第１ＮＯx触媒４及び第２ＮＯx触媒５に吸蔵されていたＮＯxを還元する。ＮＯx還元時には、第１ＮＯx触媒４及び第２ＮＯx触媒５に流入する排気の空燃比を比較的に短い周期でスパイク的（短時間）にリッチとする、所謂リッチスパイク制御を実行する。
【００３０】
以上述べたように構成された内燃機関１には、該内燃機関１を制御するための電子制御ユニットであるＥＣＵ１０が併設されている。このＥＣＵ１０は、内燃機関１の運転条件や運転者の要求に応じて内燃機関１の運転状態を制御するユニットである。
【００３１】
ＥＣＵ１０には、前記したセンサ等が電気配線を介して接続され、該センサ等の出力信号が入力されるようになっている。
一方、ＥＣＵ１０には、燃料添加弁９が電気配線を介して接続され、ＥＣＵ１０により制御することが可能になっている。
【００３２】
ところで、第１ＮＯx触媒４及び第２ＮＯx触媒５は、経年変化や熱により劣化することがある。この劣化は、ＮＯxの吸蔵能力に顕著に現れる。そして、ＮＯxの吸蔵能力が低下し、排気中のＮＯxの一部が該第１ＮＯx触媒４及び第２ＮＯx触媒５の下流へ流出することがある。これに対し、例えば第１ＮＯx触媒４のＮＯx吸蔵能力の低下を、第１ＮＯx触媒４前後の空燃比センサ６、７を用いて検出することができる。これにより、劣化の度合いに応じた燃料の添加を行うことが可能となる。また、運転者等に第１ＮＯx触媒４の交換を促すことも可能となる。
【００３３】
ここで、第１ＮＯx触媒４にＮＯxが吸蔵されている場合に、該第１ＮＯx触媒４にリッチ空燃比の排気を供給すると、該第１ＮＯx触媒４に吸蔵されているＮＯx及び酸素が放出される。リッチスパイクによりリッチ空燃比の排気が第１ＮＯx触媒４に流入し、該第１ＮＯx触媒４からＮＯx及び酸素が放出されている間は、第１ＮＯx触媒４の下流の空燃比すなわち第１空燃比センサ７により検出される空燃比はストイキとなることが知られている。そして、第１ＮＯx触媒４からのＮＯx及び酸素の放出が完了した後に、第１空燃比センサ７により検出される空燃比がリッチ空燃比に移行する。このように第１空燃比センサ７によりストイキが検出され、リッチ空燃比に移行するまでの時間は、第１ＮＯx触媒４に吸蔵されているＮＯx及び酸素の量が多いほど長くなる。
【００３４】
そして、第１ＮＯx触媒４の劣化の度合いが大きくなるほど、該第１ＮＯx触媒４が吸蔵できるＮＯx量及び酸素量が減少する。従って、第１ＮＯx触媒４の劣化の度合いが大きくなるほど、第１ＮＯx触媒４に吸蔵されていたＮＯxを還元するため及び酸素を放出させるために必要となる燃料量が減る。また、リッチスパイク時に第１空燃比センサ７によりストイキが検出された後リッチ空燃比に移行するまでの時間、すなわちストイキの継続時間が短くなる。以上より、第１ＮＯx触媒４に吸蔵されていたＮＯxおよび酸素を還元もしくは放出させるために要した燃料量、もしくは第１ＮＯx触媒４に流入する排気の空燃比およびストイキの継続時間に基づいて、第１ＮＯx触媒４の劣化の度合いを判定することが可能となる。
【００３５】
ところで、第１ＮＯx触媒４の劣化の度合いを判定するには、第１ＮＯx触媒４に流入する排気の空燃比を正確に知る必要がある。しかし、リッチスパイク時には、排気中に添加された燃料のクラッキングが十分に行われず第３空燃比センサ６はリーンずれを起こす場合がある。このリーンずれは、酸化触媒３を設けることによりある程度は改善されるが、
第３空燃比センサ６のリーンずれを全くなくすことは困難である。そのため、リッチスパイク制御中に第１ＮＯx触媒４に流入する排気の空燃比を第３空燃比センサ６のみにより検出することは困難となる。
【００３６】
その点、本実施例によれば、第２空燃比センサ８の出力信号がリッチ空燃比となった後で所定の変化幅内に安定したときの該第２空燃比センサ８により検出される排気の空燃比に基づいて、第３空燃比センサ８の検出値を補正することができる。
【００３７】
ここで、図２は、本実施例による燃料添加量補正制御を行ったときに第３空燃比センサ６、第１空燃比センサ７、および第２空燃比センサ８から得られる空燃比の時間推移を示したタイムチャート図である。実線が第３空燃比センサ６、破線が第１空燃比センサ７、一点鎖線が第２空燃比センサ８の出力値を夫々示し、点線が目標空燃比を示している。
【００３８】
第１空燃比センサ７により検出される空燃比は、燃料添加と共に低下する。そして、ストイキとなると第１ＮＯx触媒４からＮＯxおよび酸素が放出される。換言すると、第１ＮＯx触媒４からのＮＯxおよび酸素の放出が完了するまで間、第１空燃比センサ７の検出値はストイキとなる。その後、第１ＮＯx触媒４からのＮＯxおよび酸素の放出が完了すると、第１空燃比センサ７により検出される空燃比はリッチ空燃比に低下し、ほぼ一定のリッチ空燃比で推移する。この一定のリッチ空燃比で推移している間の第１空燃比センサ７による検出値は、第１ＮＯx触媒４に流入する実際の排気の空燃比とほぼ等しい値となる。
【００３９】
次に第２空燃比センサ８により検出される空燃比は、第２ＮＯx触媒５からのＮＯxおよび酸素の放出が完了するまで間ストイキとなる。そして第２ＮＯx触媒５からのＮＯxおよび酸素の放出が完了するとリッチ空燃比となるが、その頃には燃料の添加が停止されているので、すぐに空燃比が高まる。
【００４０】
また、第３空燃比センサ６により検出される空燃比は、燃料添加によるリーンずれが生じている。
一方、図３は、本実施例による燃料添加量補正制御を行ったときであって、第３空燃比センサの出力を補正したときの空燃比の時間推移を示したタイムチャート図である。
【００４１】
ここで、図３においてＡで示した期間（以下、期間Ａとする。）では、第１空燃比センサ７からの出力信号は、ほぼ一定の値を示している。この場合、第１空燃比センサ７の検出値はリッチ空燃比であって所定の変化幅内で安定しているといえる。そして、本実施例においては、期間Ａにおいて、第１空燃比センサ７の検出値と第３空燃比センサ６の検出値とが等しくなるように、第３空燃比センサ６の検出値を補正する。このときに補正するのは、期間Ａに限らずその前のリッチスパイク中に検出された第３空燃比センサ６の検出値の補正をも行う。
【００４２】
すなわち、図３において、「第３空燃比センサ補正前」の空燃比が期間Ａにおいて「第１空燃比センサ」の空燃比と等しくなるように、燃料添加開始前のリーン空燃比（以下、ベース空燃比という。）を基準に、よりリッチとなる方向に「第３空燃比センサ補正前」の空燃比を同割合で移動させて「第３空燃比センサ補正後」の空燃比を得る。
【００４３】
この場合、まずベース空燃比と期間Ａにおける第１空燃比センサ７から得られる空燃比との差Ｘを求める。次に、ベース空燃比と期間Ａにおける第３空燃比センサ６から得られる空燃比との差Ｙを求める。そして、差Ｘを差Ｙで除した値を補正係数Ｚとして求める。この補正係数Ｚを、期間Ａ以外にも適用する。すなわち、ベース空燃比と燃料添加中の第３空燃比センサ６から得られる空燃比との差Ｓに補正係数Ｚ乗じて新たな差Ｔを求め、この差Ｔをベース空燃比から減じた値を補正後の空燃比として得ることができる。
【００４４】
このように、期間Ａにおいて算出した補正係数Ｚを燃料添加時の全ての期間に適用して第３空燃比センサ６の出力値を補正することができる。
この場合、第３空燃比センサ６の検出値をＥＣＵ１０に記憶しておき、期間Ａで補正係数Ｚを算出した後に、記憶しておいた第３空燃比センサ６の検出値の補正を行う。そして、その後に第１ＮＯx触媒４に吸蔵されていたＮＯxおよび酸素の放出もしくは還元に要した燃料量を算出し、この算出された燃料量を基準に第１ＮＯx触媒４の劣化判定を行う。
【００４５】
ここで、図４は、第１ＮＯx触媒４に吸蔵されていたＮＯxおよび酸素の放出もしくは還元に要した燃料量を示した図である。
「第１ＮＯx触媒分」としてハッチングを施した面積より、第１ＮＯx触媒４に吸蔵されていたＮＯxおよび酸素の放出に要した燃料添加量が求められ、「第２ＮＯx触媒分」としてハッチングを施した面積より、第２ＮＯx触媒５に吸蔵されていたＮＯxおよび酸素の放出に要した燃料添加量が求められる。
【００４６】
そして、第１ＮＯx触媒４に吸蔵されていたＮＯxおよび酸素の放出に要した燃料添加量が多いほど、第１ＮＯx触媒４に多くのＮＯxおよび酸素が吸蔵されていたことが分かり、この燃料添加量に基づいて第１ＮＯx触媒４の劣化の度合いを判定することができる。
【００４７】
なお、本実施例においては、第２空燃比センサ８により得られる空燃比がストイキからリッチとなったときの直前に検出された第１空燃比センサにより得られる空燃比により第３空燃比センサ６の検出値を補正するようにしてもよい。
【００４８】
ここで、第２空燃比センサ８の検出値がストイキからリッチに移行するのは、第１ＮＯx触媒４および第２ＮＯx触媒５に吸蔵されていたＮＯxおよび酸素の放出が完了したことを意味している。すなわち、この直前には、第１ＮＯx触媒４に吸蔵されていたＮＯxおよび酸素の放出が完了しており、第１空燃比センサ７により検出される排気の空燃比と第１ＮＯx触媒４に流入する排気の空燃比とは、ほぼ等しい値となる。また、第１空燃比センサ７の検出値はリッチ空燃比であって所定の変化幅内で安定しているといえる。さらに、第２空燃比センサ８の検出値は温度変化等による影響を受け難く、第１空燃比センサ７の検出値がリッチ空燃比であって所定の変化幅内で安定していることを精度よく検出することができる。
【００４９】
したがって、このときの第１空燃比センサ７により得られる排気の空燃比に基づいて、第３空燃比センサ６の検出値を補正することが可能となる。この補正は、前記期間Ａのときに検出される第１空燃比センサにより得られる排気の空燃比による補正と同様にして行うことができる。
【００５０】
また、本実施例においては、第１空燃比センサ７により検出される排気の空燃比がストイキよりリッチへ移行した後所定時間経過後に、第１空燃比センサ７の検出値はリッチ空燃比であって所定の変化幅内で安定しているとして、このときに第１空燃比センサ７により検出される排気の空燃比を基準として、第３空燃比センサ６の検出値を補正してもよい。
【００５１】
さらに、第３空燃比センサ８の検出値の補正を行うための第１空燃比センサ７の検出値は、期間Ａの任意の時における値であってもよく、期間Ａの平均値であってもよい。
なお、本実施例においては、第１空燃比センサ７の検出値により第３空燃比センサ６の検出値を補正しているが、これに代えて、燃料添加弁９から燃料が添加されている間に第１ＮＯx触媒４に流入する排気の空燃比を実験的に求めておき、この実験的に求めた値を補正するようにしてもよい。
【００５２】
すなわち、期間Ａにおける第１空燃比センサ７により得られる空燃比と、実験的に求めた排気の空燃比が最終的に到達する空燃比と、が等しくなるように、実験的に求めた排気の空燃比を補正することにより、燃料添加中であって期間Ａよりも前の期間における第１ＮＯx触媒４に流入する排気の空燃比を得ることができる。
【００５３】
以上説明したように、本実施例によれば、第１空燃比センサ７からの検出値がリッチ空燃比で且つ安定している期間の検出値により、第３空燃比センサ６の検出値を補正することができる。これにより、第１ＮＯx触媒４のより正確な劣化判定を行うことができる。
【実施例２】
【００５４】
本実施例においては、燃料添加の終了時期を第２空燃比センサ８の出力信号により決定する。
ここで、排気系を流通する排気の空燃比を一番正確に検出することができるのは第２空燃比センサ８である。これは、酸化触媒３、第１ＮＯx触媒４および第２ＮＯx触媒５により燃料が十分にクラッキングされるからである。しかし、第２空燃比センサ８は、燃料添加弁９から離れた位置にあり、燃料添加弁９から添加された燃料が第２空燃比センサ８に到達するまでに時間がかかる。そのため、第２空燃比センサ８の出力信号によりリッチスパイク時の空燃比制御を行うと、空燃比の変動が起こることがある。
【００５５】
その点、第２空燃比センサ８の出力信号を燃料添加の終了時期の判定にのみ使用することにより、空燃比の変動を抑制することができる。
ここで、本実施例では、第２空燃比センサ８の出力信号がストイキからリッチに移行したときに、燃料添加弁９からの燃料添加を終了させる。第２空燃比センサ８の出力信号がストイキからリッチに移行したときには、第１ＮＯx触媒４および第２ＮＯx触媒５に吸蔵されていたＮＯxおよび酸素の放出が完了したことを意味しており、触媒劣化判定に必要な燃料添加量を算出することが可能となっている。したがって、このときに燃料添加を終了させても、実施例１で説明した触媒劣化判定を行うことができ、且つ過剰な燃料の添加を抑制できる。
【図面の簡単な説明】
【００５６】
【図１】実施例に係る内燃機関の排気浄化装置を適用する内燃機関とその排気系の概略構成を示す図である。
【図２】実施例による燃料添加量補正制御を行ったときに第３空燃比センサ、第１空燃比センサ、および第２空燃比センサから得られる空燃比の時間推移を示したタイムチャート図である。
【図３】実施例による燃料添加量補正制御を行ったときであって、第３空燃比センサの出力を補正したときの空燃比の時間推移を示したタイムチャート図である。
【図４】第１ＮＯx触媒に吸蔵されていたＮＯxおよび酸素の放出もしくは還元に要した燃料量を示した図である。
【符号の説明】
【００５７】
１     内燃機関
２     排気通路
３     酸化触媒
４     第１ＮＯx触媒
５     第２ＮＯx触媒
６     第３空燃比センサ
７     第１空燃比センサ
８     第２空燃比センサ
９     燃料添加弁
１０   ＥＣＵ
【図１】
2005226490.tif 000003
【図２】
2005226490.tif 000004
【図３】
2005226490.tif 000005
【図４】
2005226490.tif 000006